(57)【要約】装着者の皮膚に移動可能なようにスキンケア組成物を少なくとも一部の上に適用された吸収物品。前記組成物は２１℃で固体であり、それらの溶融挙動に従って選択された少なくとも三つの成分を含み、特に結晶化促進剤の存在を特徴とする。【特許請求の範囲】
【請求項１】
液体透過性上部シート（２）、液体不透過性下部シート（３）、及びそれらの間に封入された吸収体（４）を含む、おむつ、パンツおむつ、成人用失禁ガード、衛生ナプキン及びそれらの類似物品の如き吸収物品であって、前記物品が装着者の皮膚に移動可能であるようにその少なくとも一部の上に適用されたスキンケア組成物を有し、前記組成物が２１℃で固体であり、かつ
ａ）２５〜３７℃の範囲で溶融し、かつ合成ワックス、パラフィン、脂肪酸エステル、ポリヒドロキシ脂肪酸エステル、脂肪アルコール、アルコキシル化脂肪酸エステル、アルコキシル化脂肪アルコール及びこれらの化合物の混合物からなる群から選択される成分５〜７０重量％、及び
ｂ）成分ａ）の融点より少なくとも５℃高い融点を有し、かつパラフィン、ポリヒドロキシ脂肪酸エステル、Ｃ１４−Ｃ２２脂肪アルコール、Ｃ１２−Ｃ２２脂肪酸、脂肪アルコール及び脂肪エステルのアルコキシル化誘導体及びこれらの化合物の混合物からなる群から選択される成分５〜７０重量％
を少なくとも含むものにおいて、
前記組成物がさらに成分として
ｃ）部分グリセリド、エチレングリコールジエステル及びポリマーワックスからなる群から選択される結晶化促進剤５〜２５重量％を含み、結晶化促進剤が４５〜７０℃の範囲の融点を有すること、及び組成物が５重量％未満の水を含むことを特徴とする吸収物品。
【請求項２】
成分ｂ）が４０〜６０℃の範囲の融点を有することを特徴とする請求項１に記載の吸収物品。
【請求項３】
成分ａ）が８〜１８個の炭素原子を有する脂肪酸のグリセリドの混合物から、好ましくは部分グリセリドの工業銘柄混合物及び／又はグリセリドとの混合物から選択されることを特徴とする請求項１又は２に記載の吸収物品。
【請求項４】
成分ｂ）が８〜１８個の炭素原子を有する脂肪酸のグリセリドの混合物から、好ましくは部分グリセリドの工業銘柄混合物及び／又はグリセリドとの混合物から選択されることを特徴とする請求項１〜３のいずれかに記載の吸収物品。
【請求項５】
成分ａ）及び／又は成分ｂ）が各々、ココナット脂肪酸のグリセロールトリエステル又は部分エステルを含み、その混合物が各場合において請求項１に規定された範囲の融点を有することを特徴とする請求項１〜４のいずれかに記載の吸収物品。
【請求項６】
Ｃ１２−Ｃ２１脂肪酸を有するグリセロール部分エステル、好ましくはグリセロールモノラウレートが成分ｃ）として存在することを特徴とする請求項１〜５のいずれかに記載の吸収物品。
【請求項７】
ポリビニルステアリルエーテルが成分ｃ）として存在することを特徴とする請求項１〜６のいずれかに記載の吸収物品。
【請求項８】
スキンケア組成物が成分ａ）を１０〜６０重量％の量で、成分ｂ）を１０〜６０重量％の量で、及び成分ｃ）を１０〜２５重量％の量で含むことを特徴とする請求項１〜７のいずれかに記載の吸収物品。
【請求項９】
スキンケア組成物が３５〜６５℃、好ましくは３５〜５０℃、特に３５〜４５℃の範囲の融点を有することを特徴とする請求項１〜８のいずれかに記載の吸収物品。
【請求項１０】
スキンケア組成物がシリコーンワックスを１〜６重量％、好ましくは１．５〜５．５重量％、特に２〜５重量％の量で含むことを特徴とする請求項１〜９のいずれかに記載の吸収物品。
【請求項１１】
スキンケア組成物が皮膚に優しい及び／又はスキンケア物質を０．１〜１０重量％、好ましくは１〜８重量％、特に２〜６重量％の量で含むことを特徴とする請求項１〜１０のいずれかに記載の吸収物品。
【請求項１２】
スキンケア組成物が水を０．５〜３重量％、好ましくは０．５〜２重量％、特に０．５〜１．５重量％の量で含むことを特徴とする請求項１〜１１のいずれかに記載の吸収物品。
【請求項１３】
スキンケア組成物が成分ａ）として３０〜３３℃の融点を有するココナット脂肪酸のグリセロールエステルの混合物５０〜６０重量％、成分ｂ）として５７〜６０℃の融点を有する線状不飽和脂肪アルコール１０〜２０重量％、成分ｃ）として４５〜４８℃の融点を有するポリビニルステアリルエーテル１５〜２０重量％、及び所望によりシリコーンワックス２〜５重量％、及びスキンケア物質５〜１０重量％を含むことを特徴とする請求項１〜１２のいずれかに記載の吸収物品。
【請求項１４】
スキンケア組成物が物品の上部シート（２）の少なくとも一部の上に適用されることを特徴とする請求項１〜１３のいずれかに記載の吸収物品。
【請求項１５】
異なる量のスキンケア組成物が上部シートの異なる領域に適用されることを特徴とする請求項１４に記載の吸収物品。
【請求項１６】
上部シート材料の意図した湿潤領域が上部シート材料のその周囲領域と比較して少ない量のスキンケア組成物を含有するか又はスキンケア組成物を全く含有しないことを特徴とする請求項１５に記載の吸収物品。
【請求項１７】
スキンケア組成物が弾性部材、ベルト、繊維などの物品のいずれかの材料及び成分上に適用され、それが物品の使用中、例えば液体透過性上部シートを介して装着者の皮膚と接触することを特徴とする請求項１〜１６のいずれかに記載の吸収物品。
【請求項１８】
少なくとも二つの異なるスキンケア組成物が物品の異なる領域に適用されることを特徴とする請求項１〜１７のいずれかに記載の吸収物品。
【発明の詳細な説明】
【技術分野】
【０００１】
本発明はおむつ、パンツおむつ、失禁パッド、衛生ナプキン、パンティライナー及びそれらの類似物品の如き吸収物品に関する。特に本発明は少なくとも一部の上に適用されたスキンケア組成物を有する吸収物品に関し、前記組成物は通常の接触及び装着者の動き及び／又は体熱によって装着者の皮膚に移動可能である。
【背景技術】
【０００２】
ベビー用おむつ又は衛生ナプキンの如き衛生物品の製造では、水性流体を吸収するための吸収材料が使用される。装着時の吸収材料との直接接触を防止し装着快適性を増大するため、この材料は薄い水透過性不織布でカバーされる。このタイプの不織材料は通常、ポリオレフィン及びポリエステル繊維の如き合成繊維から製造される。なぜならばこれらの繊維は低コストで製造されることができ、良好な機械的特性を有し、熱的に安定だからである。
【０００３】
衛生物品セクターでは、このタイプの不織材料は一般に許容性及び装着快適性を改良するために皮膚に優しいローションを益々与えられている。例えばＤＥ  ３３０９５３０Ｃ１は衛生吸収ライナーを記載し、それは８〜１８の炭素原子を有するココナット油脂肪酸のトリグリセリド及び／又は部分グリセリドからなるスキンケア材料を含浸される。これらの調製物は装着されている間、問題なく不織布から皮膚へ移動可能であり、ＤＥ  ３３０９５３０のトリグリセリド及び部分グリセリド混合物はそれらが３５〜４０℃の範囲の上昇点（ｒｉｓｅ  ｐｏｉｎｔ）を有するように選択される。
【０００４】
衛生物品の装着中に皮膚へスキンケア物質を移動する別のアプローチはＷＯ  ９６／１６６８２に与えられている。これは内部カバーウェブが２０℃で固体又は半固体でありかつ装着されている間に装着者の皮膚に移動するローションで作られるおむつを記載する。これらのローションは室温で可塑性又は液体でなければならない無水皮膚軟化薬１０〜９５％、及び少なくとも３５℃、好ましくは４０℃の融点を有さなければならないいわゆる固定化剤（ｉｍｍｏｂｉｌｉｚｅｒ）５〜９０％を含む。
【０００５】
しかしながら、公知のローションの主要な問題はそれらの貯蔵安定性である。ローション自体はそれらが皮膚温度、即ち約３６〜３８℃で困難性なしで不織布から皮膚へ移動できるような形態であることが必須である。即ち、これらの温度でローションは不織布から脱離し、皮膚上へ移動されるために十分に粘稠であるべきである。しかしながら、この温度依存プロセスはもし衛生製品が相対的に高い温度、例えば３０℃以上で貯蔵されるなら問題を生じる。この場合において、ローションが不織材料上で締め出されることが頻繁に観察される。それゆえ本発明の目的はローションの貯蔵安定性が特に高温で確保されなければならない衛生物品のための不織材料への適用のために皮膚に優しいローションを提供することである。
【０００６】
さらに、例えばベビー用おむつにおける不織布は液体に対して透過性でなければならず、それゆえ通常親水性であるように製造されることに注意すべきである。それゆえ、通常疎水性の皮膚に優しいローションでのさらなる仕上げは液体がウェブを通って吸収材料中へ移動することを減らすか又は実質的に損なうことがありうるだろう。
【０００７】
さらに、ローションは不織布から装着者の皮膚上へできるだけ完全に移動することが望ましく、この関連において所望によりさらなる追加の用途を与えることが望ましい。例えば臭気の形成または細菌、真菌及び酵母の成長を低下できることが望ましい。原則として、それはもちろんローションを不織材料に容易に適用でき、しかもそれらをできるだけ公知の製造方法を使用して適用しなければならない。これらの特性は従来技術の製品を使用して総合的に達成されることができないことが見出された。
【０００８】
ローション組成物は典型的には吸収物品又はかかる物品に使用されることを意図される材料に溶融状態で適用される。これは通常３５〜１００℃の温度でなされる。いったん溶融されたローションが適用されたら、それは冷却及び凝固されて物品又は材料の表面上に凝固された被覆を形成する。スロット被覆、押出被覆、グラビア被覆及びスプレー法の如きいかなる好適な適用方法も使用可能である。
【０００９】
吸収物品又はかかる物品に使用されることを意図される材料にローション組成物を適用するときの一つの主要な問題は製造方法が極めて迅速な方法であることが多く、溶融されたローションが物品又は材料が折りたたまれるか又は巻き上げられる前に十分に凝固しないことであリ、それはローションの汚れを生じる。ローションは例えばそれが適用される吸収物品の上部シートを通ってさらに透過して吸収芯中に移行し、これを疎水性にし吸収性を低下させうる。
【発明の開示】
【００１０】
本発明の目的はローションが適用される材料の透過及び物品の製造中の汚れの問題を克服するか又は少なくとも低減する、上述の種類のローションを含有する吸収物品を提供することである。
【００１１】
驚くべきことに、溶融挙動に基づいて選択された三つの成分を組み合わせることによって上述の目的を達成できることを見出した。
【００１２】
本発明は第一例において、液体透過性上部シート、液体不透過性下部シート、及びそれらの間に封入された吸収体を含む、おむつ、パンツおむつ、成人用失禁ガード、衛生ナプキン及びそれらの類似物品の如き吸収物品であって、前記物品が装着者の皮膚に移動可能であるようにその少なくとも一部の上に適用されたスキンケア組成物を有し、前記組成物が２１℃で固体であり、かつ
ａ）２５〜３７℃の範囲で溶融し、かつ合成ワックス、パラフィン、脂肪酸エステル、ポリヒドロキシ脂肪酸エステル、脂肪アルコール、アルコキシル化脂肪酸エステル、アルコキシル化脂肪アルコール及びこれらの化合物の混合物からなる群から選択される成分５〜７０重量％、及び
ｂ）成分ａ）の融点より少なくとも５℃高い融点を有し、かつパラフィン、ポリヒドロキシ脂肪酸エステル、Ｃ１４−Ｃ２２脂肪アルコール、Ｃ１２−Ｃ２２脂肪酸、脂肪アルコール及び脂肪エステルのアルコキシル化誘導体及びこれらの化合物の混合物からなる群から選択される成分５〜７０重量％
を少なくとも含むものにおいて、
前記組成物がさらに成分として
ｃ）部分グリセリド、エチレングリコールジエステル及びポリマーワックスからなる群から選択される結晶化促進剤５〜２５重量％を含み、結晶化促進剤が４５〜７０℃の範囲の融点を有すること、及び組成物が５重量％未満の水を含むことを特徴とする吸収物品を提供する。
【００１３】
本発明による組成物は三つの成分を必然的に含み、特に成分ｃ）、結晶化促進剤の存在を特徴とする。さらに、成分ａ）〜ｃ）をそれらの溶融挙動に従って選択することが必須である。
【００１４】
成分ｂ）は４０〜６０℃の範囲の融点を有することが好ましい。
【００１５】
本発明の一つの側面では成分ａ）は８〜１８個の炭素原子を有する脂肪酸のグリセリドの混合物から、好ましくは部分グリセリドの工業銘柄混合物及び／又はグリセリドとの混合物から選択される。
【００１６】
本発明のさらなる側面では成分ｂ）は８〜１８個の炭素原子を有する脂肪酸のグリセリドの混合物から、好ましくは部分グリセリドの工業銘柄混合物及び／又はグリセリドとの混合物から選択される。
【００１７】
成分ａ）及び／又は成分ｂ）は一つの例では各々、ココナット脂肪酸のグリセロールトリエステル又は部分エステルを含み、その混合物が各場合において請求項に規定された範囲を有する。
【００１８】
Ｃ１２−Ｃ２１脂肪酸を有するグリセロール部分エステル、好ましくはグリセロールモノラウレートは一つの例では成分ｃ）として存在する。
【００１９】
さらなる例ではポリビニルステアリルエーテルは成分ｃ）として存在する。
【００２０】
好ましくはスキンケア組成物は成分ａ）を１０〜６０重量％の量で、成分ｂ）を１０〜６０重量％の量で、及び成分ｃ）を１０〜２５重量％の量で含む。
【００２１】
スキンケア組成物は３５〜６５℃、好ましくは３５〜５０℃、特に３５〜４５℃の範囲の融点を有することがさらに好ましい。
【００２２】
スキンケア組成物はさらにシリコーンワックスを１〜６重量％、好ましくは１．５〜５．５重量％、特に２〜５重量％の量で含んでもよい。
【００２３】
スキンケア組成物はさらに皮膚に優しい及び／又はスキンケア物質を０．１〜１０重量％、好ましくは１〜８重量％、特に２〜６重量％の量で含んでもよい。
【００２４】
本発明の一つの側面ではスキンケア組成物は水を０．５〜３重量％、好ましくは０．５〜２重量％、特に０．５〜１．５重量％の量で含む。
【００２５】
一つの例ではスキンケア組成物は成分ａ）として３０〜３３℃の融点を有するココナット脂肪酸のグリセロールエステルの混合物５０〜６０重量％、成分ｂ）として５７〜６０℃の融点を有する線状不飽和脂肪アルコール１０〜２０重量％、成分ｃ）として４５〜４８℃の融点を有するポリビニルステアリルエーテル１５〜２０重量％、及び所望によりシリコーンワックス２〜５重量％、及びスキンケア物質５〜１０重量％を含む。
【００２６】
一つの例ではスキンケア組成物は吸収物品の上部シートの少なくとも一部の上に適用される。異なる量のスキンケア組成物が上部シートの異なる領域に適用されてもよい。例えば上部シート材料の意図した湿潤領域は上部シート材料のその周囲領域と比較して少ない量のスキンケア組成物を含有してもよいし又はスキンケア組成物を全く含有しなくてもよい。
【００２７】
さらなる例ではスキンケア組成物は弾性部材、ベルト、繊維などの物品のいずれかの材料及び成分上に適用され、それが物品の使用中、例えば液体透過性上部シートを介して装着者の皮膚と接触する。
【００２８】
本発明のさらなる側面では少なくとも二つの異なるスキンケア組成物は物品の異なる領域に適用される。
【００２９】
図面の記述
図１はおむつの形態の吸収物品の透視図である。
図２は吸収物品の部分的断面図である。
【発明を実施するための最良の形態】
【００３０】
「吸収物品」という用語は尿、糞便及び月経液の如き体滲出物を吸収して含有するために装着者の皮膚に対して位置される製品に関する。本発明は大部分が使い捨て吸収物品に関し、これは使用後に洗濯されること又は復元されること又は吸収物品として再利用されることを意図されない物品を意味する。使い捨て吸収物品の例は衛生ナプキン、パンティライナー及び衛生パンティの如き女性用衛生製品；幼児及び失禁症の成人のためのおむつ及びパンツおむつ；失禁パッド；おむつ挿入物及びこれらの類似物を含む。
【００３１】
図面は幼児又は失禁症の成人のためのおむつ１の一例を示し、前記おむつは液体透過性上部シート２、液体不透過性下部シート３及びそれらの間に封入された吸収体４を含むシャシを典型的に含む。液体透過性上部シート２は、スパンボンド式、メルトブロー式、カード式、水流交絡式、ウェットレイ式などによる不織材料からなることができる。適切な不織材料は、木材パルプもしくは綿繊維のような天然繊維；ポリエステル、ポリエチレン、ポルプロピレン、ビスコースなどの人造繊維；又は天然繊維と人造繊維の混合物で構成されることができる。この上部シート材料は、さらに例えばＥＰ−Ａ−１０３５８１８号に開示されているように結合パターンで互いに結合できるトウ繊維で構成されていてもよい。上部シート材料のさらなる例は多孔質フォーム、有孔プラスチックフィルムなどである。上部シート材料として適切な材料は、柔軟でかつ皮膚を刺激せず、尿もしくは月経液などの体液を即座に透過するものでなければならない。
【００３２】
液体不透過性下部シート３は、ポリエチレンもしくはポリプロピレンのフィルムなどの薄いプラスチックフィルム、液体不透過性物質で被覆された不織材料、液体の透過を阻止する疎水性不織材料又はプラスチックフィルムと不織材料の積層体からなることができる。下部シート材料は、吸収芯から水蒸気を逃がすため通気性であるが、液体が下部シート材料を通過することを防止する。
【００３３】
上部シート２と下部シート３は、その平面が吸収体４より幾分大きな範囲を有し、吸収体の縁の外側に広がる。層２と３は、例えば接着するか又は熱もしくは超音波によって溶接することによってそれらの突出している部分内で互いに接続される。さらに上部シート及び／又は下部シートは、接着剤、熱接着などの当該技術分野で公知の方法で吸収芯に取り付けられてもよい。吸収芯は、上部シート及び／又は下部シートに取り付けられなくてもよい。
【００３４】
吸収体４はいかなる従来の種類のものであることができる。一般に使用されている吸収材料の例はセルロース毛羽パルプ、ティッシュ層、高吸収性ポリマー（いわゆる超吸収材）、吸収性フォーム材料、吸収性不織材料等である。セルロース毛羽パルプを吸収体中の超吸収材と組合せることは一般的である。また、液体取得能力、液体分配能力及び液体貯蔵能力に関して異なる特性を有する異なる材料の層を含む吸収体を有することも一般的である。これは当業者には周知であり、それ故、詳細に記述される必要はない。例えばベビー用おむつ及び失禁ガードで一般的な薄い吸収体はしばしばセルロース毛羽パルプと超吸収材の圧縮された混合された又は層状構造を含む。吸収芯のサイズ及び吸収能力はベビー用おむつ、成人用失禁おむつ及びパッド、パンツおむつ、パンティライナー、衛生ナプキン等の如き異なる用途のために好適化されるべく変化させることができる。
【００３５】
図１に開示されるおむつは装着者の胴体の下部を吸収パンツのように包囲することを意図される。それは使用中使用者の体の前部分に装着されることを意図される前部分５、使用中使用者の体の後部分に装着されることを意図される後部分６、及び前部分と後部分の間に配置されかつ脚の間の使用者の股部分に装着されることを意図される狭い股部分７を含む。前部分５は一対の接着テープタブ８又はフックアンドループタイプの固定具の如き他の種類の取付け手段を与えられる。
【００３６】
おむつは脚開口を形成する弾性化された側部フラップ１０を含む。弾性化はフラップ領域１０の上部シートと下部シートの間に固定された弾性部材１１によって与えられる。図１及び２に開示されたおむつは近位縁１３及び遠位縁１４を有する弾性バリアフラップ１２及び遠位縁１４を上部シートから間隔を置かせる弾性部材１５をさらに含む。これらのバリアフラップ１２は漏出バリアを形成し、それらの近位縁１３で上部シート２に、側部フラップ１０の領域で又は吸収体４の上で吸収体４の横方向縁の近くに固定される。
【００３７】
おむつは物品の横方向にその腰部分に延びる弾性部材の形の弾性化された腰部分をさらに含むことができる。
【００３８】
さらなる例では、おむつはおむつの後部分に取付けられたベルト部分を含み、これらは装着者の腰の周りに一緒に固定されることを意図される。おむつの前部分の上の固定手段は次にベルトの外側に取付けられ、おむつを一緒に固定して所望のパンツ状形状にする。ベルト付きおむつの例はＷＯ  ０１／００１２９に示されている。
【００３９】
しかしながら、上述の及び図面にのみ示されたおむつは一つの非限定的な例を表すものにすぎず、本発明はこれらに限定されず、上述の通りいかなるタイプの吸収物品でも用いられることができることが理解される。
【００４０】
本発明による吸収物品はその少なくとも一部の上に適用されたスキンケア組成物を有し、通常の接触、装着者の動き及び／又は体温によって装着者の皮膚に移動可能である。皮膚に移動されるときスキンケア組成物は減少した赤い斑紋、紅斑、おむつ皮膚炎及び皮膚炎症の如き所望の皮膚治療又は保護利益を与える。
【００４１】
幾つかの要因が組合わされておむつ皮膚炎又はおむつ発疹の発生に導かれる。湿潤した皮膚は摩擦及び圧縮が皮膚を容易にすり減らすことを生じる。高い水分率は刺激物質による皮膚透過が増加すること及び細菌及び真菌が生長しうることを意味する。皮膚の閉塞及び尿中の尿素のアンモニアへの分解はｐＨの増加を生じる。高いｐＨ値は腸から及び排泄物中の微生物から来る酵素（リパーゼ及びプロテアーゼ）がかなりの程度、皮膚を破壊しうることに導く。様々な要因が促進し互いに強め合う悪循環が容易に進展しうる。
【００４２】
皮膚炎はおむつ皮膚炎のプロセスを作りかつ維持する要因を妨げる条件を作ることによって最も良く防止される。それゆえ皮膚をできるだけ乾燥するように保ち、皮膚をしばしば空気にさらし、湿潤したおむつを変えるように努力すべきである。機械的剪断力はできるだけ滑らかで柔らかい材料を選択することによって最小にされるべきであり、おむつと皮膚の間の摩耗は最小にされるべきである。皮膚に柔軟化及び保護ローション又はクリームを供給することによって、刺激物質及び酵素の透過に対するバリアをさらに補強することができる。皮膚炎のより深刻なケースでは、微生物は損傷した皮膚に感染するかもしれず、より活性のある医薬での治療が要求される。コルチゾン及び様々な抗真菌薬及び殺菌薬を有する軟膏がそのとき使用される。
【００４３】
スキンケア組成物は使用中、直接的に又は上部シートを通して装着者の皮膚と接触する物品のいずれかの部分に適用されてもよい。かかる部分は上部シート２又はその部分、弾性化された側部フラップ１０、バリアフラップ、ベルト付きおむつのベルト、側部フラップの弾性部材、バリアフラップ及び／又は腰部分を含む。スキンケア組成物は不織材料に含まれる繊維及びトウ材料中のトウ繊維に適用されてもよい。
【００４４】
本発明によるスキンケア組成物は２１℃で固体であり、かつ
ａ）２５〜３７℃の範囲で溶融し、かつ合成ワックス、パラフィン、脂肪酸エステル、ポリヒドロキシ脂肪酸エステル、脂肪アルコール、アルコキシル化脂肪酸エステル、アルコキシル化脂肪アルコール及びこれらの化合物の混合物からなる群から選択される成分５〜７０重量％、及び
ｂ）成分ａ）の融点より少なくとも５℃高い融点を有し、かつパラフィン、ポリヒドロキシ脂肪酸エステル、Ｃ１４−Ｃ２２脂肪アルコール、Ｃ１２−Ｃ２２脂肪酸、脂肪アルコール及び脂肪エステルのアルコキシル化誘導体及びこれらの化合物の混合物からなる群から選択される成分５〜７０重量％
を少なくとも含み、
前記組成物がさらに成分として
ｃ）部分グリセリド、エチレングリコールジエステル及びポリマーワックスからなる群から選択される結晶化促進剤５〜２５重量％を含み、結晶化促進剤が４５〜７０℃の範囲の融点を有し、及び組成物が５重量％未満の水を含む。
【００４５】
溶融自体は熱エネルギーの入力による固体から液体凝集状態への物質の移行として規定され、その場合粒子の運動エネルギーの増加の結果として、それらの振動振幅が極めて大きくなるので格子構造が崩壊する。融点は物質の液体及び固体相が通常１０１３ｋＰａの圧力で熱力学的平衡にある温度として規定される。しかしながら、現実には“融点”という用語は実際にはほとんど固体状態から液体状態への移行点に対してのみ使用され、逆方向の移行が起こるそれと同一の温度に対して使用されない。このプロセスで吸収される熱の量は溶融の熱又は溶融のエンタルピーとして言及される。通常、融点は圧力の増大とともに増大するが、例外がある。多くの純粋な物質に対して、融点は高い精度で決定されることができる。なぜならばここでは温度は熱の導入中ある時間間隔にわたって一定のままであるからである。非晶質のガラス状物質に対しては特定の融点はない。なぜならばここでは結晶格子がないからである。同様の現象は脂肪、軟膏、クリーム又は座薬材料の溶融挙動で観察される。かかる場合において、特性に対して、凝固点、いわゆる上昇点及び下降点を使用することができる。
【００４６】
この結晶化促進剤の作用は、液体から半液体への成分ａ）の融点より高くなければならないが、ローションが適用される温度より低くすべきである極めて鋭い融点を有することを意味するものとして理解されなければならない。相対的に低い温度で溶融する成分ａ）とより高い温度で溶融する成分ｂ）の組み合わせ、及び結晶化促進剤ｃ）の同時添加は、まず高温であってもなお貯蔵安定性であると同時に装着されている間に物品から装着者の皮膚に移動しうるローションを与える。
【００４７】
成分ａ）は多数の当業者に公知の化合物から選択されることができるが、ここでの融点は２５℃から最大３７℃までの範囲でなければならない。まず、この目的のためには特定のパラフィンを使用することができるが、脂肪酸エステル、特に脂肪アルコールを使用することができる。好適なパラフィンは好ましくは柔軟なパラフィン、好ましくはペトロラタムの如き半固体パラフィンである。好適な脂肪アルコールは不飽和脂肪アルコールの一つの代表例を示すと、例えばドデカノール又はリシノールアルコールである。さらなる好適な物質は合成ワックスの種類、例えばポリエチレン／無水マレイン酸のコポリマーから選択される。本発明の目的のためには、グリセリドの使用が特に好適であり、ここでは部分グリセリドとトリグリセリドの混合物が好ましく、それは２５〜３７℃の所望の融点を有しなければならない。ここでは特に８〜１８個の炭素原子を有する脂肪酸のグリセリドの混合物が好ましい。
【００４８】
グリセリドは脂肪酸、例えばカプロン酸、カプリル酸、２−エチルヘキサン酸、カプリン酸、ラウリン酸、イソトリデカン酸、ミリスチン酸、パルミチン酸、パルモレイン酸、ステアリン酸、イソステアリン酸、オレイン酸、エライジン酸、ペトロセリン酸、リノール酸、リノレン酸、エラエオステアリン酸、アラキン酸、ガドレイン酸、ベヘン酸及びエルカ酸、を有するグリセロールのモノ−、ジ−及び／又はトリエステル、及びそれらの工業銘柄混合物である。それらは下記式（Ｉ）に一致する：
【化１】
2005528971.tif 000002
式中、ＲはＣＯＲ′ラジカルであり、Ｒ′は６〜２２個の炭素原子を有する枝分かれした又は枝分かれしない、飽和又は不飽和アルキルラジカルであるか及び／又はそれから独立して水素である。典型例はラウリン酸モノグリセリド、ラウリン酸ジグリセリド、ココナット脂肪酸モノグリセリド、ココナット脂肪酸トリグリセリド、パルミチン酸モノグリセリド、パルミチン酸トリグリセリド、ステアリン酸モノグリセリド、ステアリン酸ジグリセリド、イソステアリン酸モノグリセリド、イソステアリン酸ジグリセリド、オレイン酸モノグリセリド、オレイン酸ジグリセリド、獣脂脂肪酸モノグリセリド、獣脂脂肪酸ジグリセリド、ベヘン酸モノグリセリド、ベヘン酸ジグリセリド、エルカ酸モノグリセリド、エルカ酸ジグリセリド、及びそれらの工業銘柄混合物であり、それらは製造工程から第二成分として少量のトリグリセリドを含んでもよい。
【００４９】
成分ａ）として好適なものは特に出願人によって商標名Ｎｏｖａｔａ−Ｂの下で販売されるココナット部分グリセリド及びトリグリセリドの混合物である。Ｎｏｖａｔａ−Ｂは（ＤＧＦ  Ｃ−ＩＶ  ３ａによれば）３３〜３６℃の融点を有し、酸価は（ＤＧＦ  Ｃ−Ｖ２によれば）０．３である。鹸化価はＤＧＦ  Ｃ−Ｖ３によれば２２５−２４０である。分子量は７１０である。成分ａ）のためのさらに好適な混合物は出願人からのＮｏｖａｔａ−２２９（融点３４℃）である。
【００５０】
成分ｂ）は問題の組成物に使用される成分ａ）の融点より少なくとも５℃高い融点を持たなければならない。特に好ましいものはＣ１４−２２脂肪アルコール、Ｃ１２−２２脂肪酸及びそのアルコキシル化誘導体、及び脂肪アルコール及びエステルの群の化合物である。しかしながら、所望の溶融特性を有する硬いパラフィンも好適である。この場合においても、Ｃ８−１８の様々な脂肪酸又はグリセリドの混合物は特に本技術教示の目的のために成分ｂ）として好適である。成分ａ）及びｂ）の両方に対して特に好適なものはココナット脂肪酸のグリセロールトリエステル及び部分エステルである。これらはＣ８−１８であり、そこではグリセリドの鎖長又はエステル化度の選択によって、融点を変化した混合物を作ることができる。ラウリン（Ｃ１４）及びミリスチン（Ｃ１６）エステルの混合物が本質的に存在する。
【００５１】
使用される高い融点成分ｂ）は出願人からのＮｏｖａｔａ−Ｄであることが好ましい。これもココナット脂肪酸のトリグリセリド及び部分グリセリドの混合物であるが、異なる溶融範囲を有する。Ｎｏｖａｔａ−Ｄは（ＤＧＦ  Ｃ−ＩＶ  ３ａによれば）４０〜４２℃の融点を有し、酸価は（ＤＧＦ  Ｃ−Ｖ２によれば）０．３である。鹸化価は（ＤＧＦ  Ｃ−Ｖ３によれば）２１５−２３０である。
【００５２】
結晶化促進剤成分ｃ）の使用は本発明のために必須である。これは少なくとも４５℃である溶融範囲を有する物質であるが、この成分の溶融範囲はできるだけ狭くすることが好ましく、４．５℃、好ましくは２．５℃以下の範囲にすべきである。
【００５３】
成分ｃ）として特に好適なものはＣ１２−２１脂肪酸を有するグリセロール部分エステル、好ましくはＤＧＦ  Ｃ−ＩＶ  ３ａによれば５８〜６０℃の溶融範囲を有するグリセロールモノステアレート、又はＤＧＦ  Ｃ−ＩＶ  ３ａによれば５６−６０℃の溶融範囲を有するグリセロールモノラウレートから選択される。さらに好適なモノグリセリドはグリセロールモノカプレート（融点５３℃）又はグリセロールミリステート（融点７０．５℃）である。
【００５４】
もし本発明による結晶化促進剤ｃ）が使用されるなら、物品又はそこに使用されることを意図される材料、例えば上部シート不織材料、弾性部材など、に適用されることができるローションが問題なく得られる。なぜならばそれらの溶融温度は低溶融成分ａ）のそれより高いが、物品又は材料上へのローションの適用温度に到達するほど高くないからである。適用温度は６０〜８０℃であることが好ましく、使用される結晶化促進剤によって適用温度を調整することも必要である。
【００５５】
成分ａ）〜ｃ）を選択する際、それらの融点がまず重要である。さらに、少なくとも三つの異なる物質が成分ａ）〜ｃ）の規定に従って本発明による組成に存在することが考慮されなければならない。成分ｃ）は好ましくは３０〜３５℃の範囲の融点を有する。もし成分ｃ）が成分ｂ）の融点より低い融点を持つなら特に好ましく、５〜１０℃、特に１０〜１５℃低いことが好ましい。
【００５６】
組成物自体は３５〜６５℃、特に３５〜５０℃、好ましくは３５〜４５℃の範囲の融点を有することが好ましい。組成物の溶融挙動は使用のために必須であり、それゆえ本発明による組成物は二つの溶融範囲を有することが好ましく、それらは好ましくはＴＬＣ測定によって確認されるように互いに明らかに分離している。組成物のための溶融のエンタルピーは好ましくは８０〜１６０Ｊ／ｇ、特に９０〜１４０Ｊ／ｇ、特に好ましくは１００〜１２５Ｊ／ｇである。さらに、上で引用したＷＯ  ９６／１６６８２及びＷＯ  ９６／１６６８１に開示されているような液体又は半固体化合物の同時使用は除外される。
【００５７】
本発明による組成物は無水である。即ち、それらは５重量％、好ましくは０．５〜３重量％、特に０．１〜２．０重量％の全量で水を含む。従って、製造中の費用のかかる乾燥工程を避けるために無水成分ａ）〜ｃ）が選択されることが好ましい。
【００５８】
本発明による組成物では、好ましい例では、成分ａ）は１０〜６０重量％の量で存在し、成分ｂ）は１０〜６０重量％の量で存在し、成分ｃ）は１０〜３０重量％の量で存在する。
【００５９】
さらに、本発明による組成物にはさらなる慣習的な成分、例えばシリコーンワックス又はポリシロキサンを１〜６重量％、好ましくは１．５〜５．５重量％、特に２〜５重量％の量で存在させてもよい。ポリシロキサンは公知のポリマー化合物であり、それはモノマー単位として下記構造を含有する：
【化２】
2005528971.tif 000003
ここでＲ″及びＲ′′′は互いに独立して水素又はアルキル、シクロアルキル、アリール又はアルケニルラジカルである。このタイプのシロキサンは３７℃で５〜５０００ｍＰａｓの範囲の粘度を有することが好ましい。
【００６０】
さらに、本発明による組成物は皮膚に優しい又はスキンケア物質を好ましくは０．１〜１０重量％、特に１〜８重量％、特に好ましくは２〜６重量％の量で含んでもよい。
【００６１】
このタイプの成分は例えばビスアボロール、アラントイン及びパンテノールであってもよい。ビタミン、好ましくはビタミンＥ及びビタミンプリカーサ、及び蛋白質水解物を使用することもできる。また植物抽出物、好ましくはカミツレ、アロエベラ、ライムの花、トチノキ、緑茶、オークの樹皮、イラクサ、ホップ、ゴボウ、トクサ、サンザシ、アーモンド、トウヒの針状葉、アーモンドの木、ネズミサシ、ココナット、アンズ、レモン、小麦、キーウィフルーツ、メロン、オレンジ、グレープフルーツ、セージ、ローズマリー、カバノキ、マロー、タネツケバナ、タイム、バルサム、オノニス属の植物、フキタンポポ、タチアオイ、ヤクヨウニンジン及び根ショウガからの抽出物が好適である。しかしながら、さらに他のスキンケア物質も存在させてもよい。それらのスキンケア組成物（ここではそう名付けられる）は特にキトサン、及び酸化亜鉛又はリシノール酸亜鉛である。
【００６２】
本発明の特に好ましい組成物は成分ａ）として３０〜３３℃の融点を有するココナット脂肪酸のグリセロールエステルの混合物５０〜６０重量％、成分ｂ）として５７〜６０℃の融点を有する線状不飽和脂肪アルコール１０〜２０重量％、成分ｃ）として４５〜４８℃の融点を有するポリビニルステアリルエーテル１５〜２０重量％、及び所望によりシリコーンワックス２〜５重量％、及び所望によりスキンケア物質、好ましくはアボカドオイルのもの５〜１０重量％を含む。
【００６３】
組成物は個々の液体成分を高温で、好ましくは４０〜８０℃、特に５０〜７０℃で混合することによってそれ自体慣例的な方法で製造される。成分の混合中の特別な順序は必要ない。組成物は次いで室温（２１℃）に冷却される。
【００６４】
本発明によるスキンケア組成物は迅速に凝固するので、それは吸収物品の製造方法において幾つかの利点を提供し、それは１分間あたり数百の物品、又は不織ウェブ材料の製造の場合には１分あたり数百メートルという極めて高スピードを生じる。迅速な凝固のため、溶融状態で適用される組成物は物品又は材料が折りたたまれるか又は巻き上げられる前に十分に凝固し、従って溶融組成物の汚れが避けられるか又は少なくとも減少される。組成物が例えばそれが適用される吸収物品の上部シートを透過して吸収芯に移行し、これを疎水性にし、吸収性を少なくするという危険は、さらに減少され、避けることさえできる。凝固プロセスはより迅速であるので、工程において物品又は材料上により多くの組成物をさらに適用してもよい。
【００６５】
スキンケア組成物は例えば上部シート材料又は吸収物品の他の材料又は成分に適用された後、前記材料又は成分が物品の他の成分に接合されることが好ましい。あるいはスキンケア組成物は吸収物品に含まれる材料及び成分が一緒に接合された後に吸収物品に適用されてもよい。それはスプレー、印刷、スロットノズル適用などの公知の有用な技術によって適用されてもよい。それは連続的に適用されてもよく又は不連続な領域に勾配又は模様をつけて適用されてもよい。
【００６６】
スキンケア組成物は上部シート材料の異なる部分に異なる量で適用されてもよい。例えば物品の使用中放出された体液を受ける股領域に位置される領域である上部シートの意図した湿潤領域はスキンケア組成物を全く含有しないか又は湿潤領域の外側に位置される上部シート材料の領域と比較して相対的に少ない量のスキンケア組成物を含有してもよい。
【００６７】
二以上のスキンケア組成物が物品の異なる領域にさらに適用されてもよい。従って圧力によって生じる赤い斑紋を緩和するように特に適応されたスキンケア組成物は側部フラップ、バリヤーフラップ及び／又は腰部分の弾性部材の領域に使用されてもよく、一方尿及び／又は糞便からの皮膚刺激によって生じるおむつかぶれを緩和するように特に適応された別のスキンケア組成物は体放出物によって湿潤されるそれらの領域の上部材料シート材料上に適用されてもよい。従ってここで開示されたスキンケア組成物を使用することによって組成物が吸収物品に含められることを意図される材料又は物品のどこにどのようにして適用されるかを選択する大きな自由が与えられる。
【実施例】
【００６８】
本発明による下記組成物１及び２が調製され、それらの溶融挙動が調査された。この目的のため、ＤＳＣ測定が各場合において実施された。加熱／冷却速度はそれぞれ１０Ｋ／分及び−１Ｋ／分であった。
【００６９】
組成物１：
ａ）ココナット脂肪酸の部分グリセリド及びトリグリセリドの混合物（融点３４℃）５８重量％；
ｂ）ステアリルアルコール（融点５６−５８℃）１５重量％；
ｃ）ポリビニルステアリルエーテル（融点４５℃）２０重量％；
ｄ）シリコーンワックス２重量％。
【００７０】
組成物の融点は４９℃であった。溶融熱は１１２Ｊ／ｇであった。
【００７１】
組成物２：
ａ）ココナット脂肪酸の部分グリセリド及びトリグリセリドの混合物（融点３４℃）５５重量％；
ｂ）グリセロールモノラウレート（融点６３℃）１５重量％；
ｃ）ポリビニルステアリルエーテル（融点４５℃）２０重量％；
ｄ）シリコーンワックス５重量％。
【００７２】
組成物の融点は４６℃であった。溶融熱は８２Ｊ／ｇであった。
【００７３】
上記組成物は問題なく不織布に適用されることができ、衛生製品のための不織布の製造のために好適である。
【００７４】
本発明によるローションの冷却特性を測定するために三つのローションが調製され、７０℃に加熱された。ローション１及び２（上記組成物１及び２に対応する）は本発明による結晶化促進剤を含有する。ローション３は（上記組成物１に対応する）はこの化合物を含有しない。
【００７５】
熱いローションは傾斜したガラスプレート（角度３５℃）上に置かれた（各０．５ｍｌ）。次いで液滴が停止するまでの距離が測定された。ローション１及び２に対して約１５ｃｍの距離が測定された。請求項１による成分ｃ）のないローションは停止するまで２１ｃｍを必要とする。
【図面の簡単な説明】
【００７６】
【図１】おむつの形態の吸収物品の透視図である。
【図２】吸収物品の部分的断面図である。
【図１】
2005528971.tif 000004
【図２】
2005528971.tif 000005
【国際調査報告】
2005528971.tif 000006
2005528971.tif 000007
2005528971.tif 000008